【手続補正書】
【提出日】平成17年8月15日(2005.8.15)
【手続補正１】
【補正対象書類名】特許請求の範囲
【補正対象項目名】全文
【補正方法】変更
【補正の内容】
【特許請求の範囲】
【請求項１】
液晶物質を配向させることができる配向層であって、
第１の配向で液晶物質を配向させることができる領域を有する第１のサブ層、
第２の配向で液晶物質を配向させることができる領域を有する第２のサブ層を含み、
第１および第２の配向は異なり、第２のサブ層は、第１のサブ層の上にかぶさり、かつ所定のパターンにしたがって第１のサブ層を覆って、所望の位置で、液晶物質を配向させることができる第２のサブ層領域および、所望の位置で、第２のサブ層によって覆われない下にある第１のサブ層の領域を提供する
、上記配向層。
【請求項２】
第１のサブ層が、第１および第２のサブ層の界面で、第２のサブ層に化学的に結合されている請求項１記載の配向層。
【請求項３】
界面で第１のサブ層に存在する第１の化学基と界面で第２のサブ層に存在する第２の化学基との間の反応によって、第１のサブ層が第２のサブ層に化学的に結合されている請求項２記載の配向層。
【請求項４】
第１のサブ層が固体有機層、好ましくはポリマー層またはポリマー前駆体層であり、第２のサブ層が固体有機層、光-パターン形成性有機層、有機単層または有機自己集合単層である請求項１〜３のいずれか１項記載の配向層。
【請求項５】
第１および第２の化学基のうちの１つが、適当な投与量の化学線照射を受けたときに、該化学基が照射されないときより小さい程度に他の化学基と反応することができるように、そのような化学線照射に感受性である請求項１〜４のいずれか１項記載の配向層。
【請求項６】
第１および第２の化学基のうちの１つが、前駆体基または前駆体基の組合せから化学線照射によって得ることができ、それは前駆体基または前駆体基の組合せから得られる基より小さい程度に他方の化学基と反応することができる、請求項１〜４のいずれか１項記載の配向層。
【請求項７】
第２のサブ層が、第２のサブ層形成物質を第１のサブ層上にパターン的に堆積させることによって得ることができるものである請求項１〜６のいずれか１項記載の配向層。
【請求項８】
請求項１〜７のいずれか１項記載の配向層を含む光学装置または電気光学装置。
【請求項９】
装置が、偽造から保護されるべきものである、銀行券、クレジットカードまたは他の物体上の安全保護機能である請求項８記載の光学装置または電気光学装置。
【請求項１０】
液晶物質を配向させることができる配向層を製造する方法であって、
-  第１のサブ層を用意すること；
-  パターンをつけられた第２のサブ層を第１のサブ層の上に備えて、第１のサブ層を被覆領域と非被覆領域とに分割すること；
-  第１のサブ層の非被覆領域を、第１の配向で液晶物質を配向させることができるようにすること；ならびに
-  第１のサブ層を被覆している第２のサブ層の領域を、第１の配向とは異なる第２の配向で液晶物質を配向させることができるようにすること、
を含む方法。
【請求項１１】
第１および第２のサブ層の界面で、第１および第２のサブ層を化学的に結合する段階を含む請求項１０記載の方法。
【請求項１２】
-  第１の化学基を含む光配向性の物質の第１のサブ層を用意すること；
-  第１のサブ層の上に、所定のパターンにしたがって、第２のサブ層を備えること、ただし該第２のサブ層は第２の配向で液晶物質を配向させることができる領域を有し、かつ第２の化学基を含み、パターンは、第１のサブ層を、第２のサブ層により被覆された領域と第２のサブ層により被覆されていない領域とに分割するようなものであること、
-  第１および第２のサブ層間に形成される界面に、第１および第２の化学基を反応させることによって化学結合を形成すること；
-  少なくとも第１のサブ層の非被覆領域を、線形偏光された照射に付して、第１の配向で液晶物質を配向させることができる露光領域を提供すること
を含む請求項１０または１１記載の方法。
【請求項１３】
-  配向性物質を照射すると、第１の化学基が転化されて、第１の化学基を第２の化学基とより小さい程度に反応することができるようにするように、化学線照射に感受性である第１の化学基を含む配向性物質の第１のサブ層を用意すること；
-  所定のパターンにしたがって第１のサブ層を照射して、第１の化学基を含む、好ましくは不飽和部分を含む領域および、第１の化学基がより小さい程度に第２の化学基と反応することができるようにされる照射領域を提供すること；
-  第１のサブ層を、第１のサブ層を第１の配向で液晶物質を配向させることができるようにする、配向を可能にする手段に付すこと；
-  第１のサブ層の上に、任意的に所定のパターンに従って、第２の配向で液晶物質を配向させることができる領域を有しかつ第２の化学基を含む第２のサブ層を備えること；
-  第１および第２のサブ層間に形成される界面に、第１および第２の化学基を反応させることによって化学結合を形成すること；
-  照射された領域で第２のサブ層物質を除去して、第１の配向で液晶物質を配向させることができる第１のサブ層の領域の被覆をとること
を含む請求項１０または１１記載の方法。
【手続補正２】
【補正対象書類名】明細書
【補正対象項目名】００１４
【補正方法】変更
【補正の内容】
【００１４】
本発明に従う好ましい実施態様においては、この方法は、
-  第１の化学基を含む光配向性の物質の第１のサブ層を用意すること；
-  第１のサブ層の上に、所定のパターンにしたがって、第２のサブ層を備えること、ただし該第２のサブ層は第２の配向で液晶物質を配向させることができる領域を有し、かつ第２の化学基を含み、パターンは、第１のサブ層を、第２のサブ層により被覆された領域と第２のサブ層により被覆されていない領域とに分割するようなものであること、
-  第１および第２のサブ層間に形成される界面に、第１および第２の化学基を反応させることによって化学結合を形成すること；
-  少なくとも第１のサブ層の非被覆領域を、線形偏光された照射に付して、第１の配向で液晶物質を配向させることができる露光領域を提供すること
を含む。
【手続補正３】
【補正対象書類名】明細書
【補正対象項目名】００１５
【補正方法】変更
【補正の内容】
【００１５】
より好ましくはこの方法は、
-  物質を照射すると、第１の化学基が転化されて、第１の化学基を第２の化学基とより小さい程度に反応することができるようにするように、化学線照射に感受性である第１の化学基を含む配向性物質の第１のサブ層を用意すること；
-  所定のパターンにしたがって第１のサブ層を照射して、第１の化学基を含む、好ましくは不飽和部分を含む領域および、第１の化学基がより小さい程度に第２の化学基と反応することができるようにされる照射領域を提供すること；
-  第１のサブ層を、第１のサブ層を第１の配向で液晶物質を配向させることができるようにする、配向を可能にする手段に付すこと；
-  第１のサブ層の上に、任意的に所定のパターンに従って、第２の配向で液晶物質を配向させることができる領域を有しかつ第２の化学基を含む第２のサブ層を備えること；
-  第１および第２のサブ層間に形成される界面に、第１および第２の化学基を反応させることによって化学結合を形成すること；
-  照射された領域で第２のサブ層物質を除去して、第１の配向で液晶物質を配向させることができる第１のサブ層の領域の被覆をとること
を含む。
【手続補正４】
【補正対象書類名】明細書
【補正対象項目名】００２０
【補正方法】変更
【補正の内容】
【００２０】
別の実施態様においては、第１および第２の化学基のうちの１つは、前駆体基または前駆体基の組合せから化学線照射によって得ることができ、これは、前駆体基または前駆体基の組合せから得られる基より小さい程度に他方の化学基と反応することができる。